(57)【要約】    【課題】      通過損失の影響を少なくすることにより、通信用無線特性の劣化を防ぐとともに、通過損失を大きくせずに校正回路のＣ／Ｎを大きくすることにより、アンテナ到来方向の推定値を安定させること。    【解決手段】  ディジタル信号処理部１０１は、送信信号に対してディジタル変調、拡散、コード多重及び同期処理等を行う。多重／分配回路１０３−１〜１０３−ｎは、送信信号を複数の経路に分配する。増幅部１０４−１〜１０４−ｎは、分配された送信信号の一部を増幅する。校正用無線回路１０７は、アダプティブアレイアンテナシステムを実現するにあたり、各アンテナ素子１０５−１〜１０５−ｎに入力する入力信号間の位相差または振幅差を求めて、複数のアンテナ素子１０５−１〜１０５−ｎの振幅・位相制御を行うようにディジタル信号処理部１０１へ指示することにより校正を行う。  【選択図】      図１
2006108731.tif 000002
【特許請求の範囲】
【請求項１】
ディジタル信号処理された送信信号を２つの系列に分配する分配手段と、
前記分配手段にて分配された一方の系列の送信信号を増幅する増幅手段と、
前記増幅手段にて増幅された送信信号を送信する複数のアンテナ素子を有するアレーアンテナと、
前記分配手段にて分配された他方の系列の送信信号より前記アンテナ素子間の位相または振幅を制御する校正手段と、
を具備することを特徴とする送信装置。
【請求項２】
前記分配手段における分配処理及び前記増幅手段における増幅処理が所定の温度にて行われるように温度調整する温度調整手段を具備することを特徴とする請求項１記載の送信装置。
【請求項３】
請求項１または請求項２記載の送信装置を具備することを特徴とする基地局装置。
【請求項４】
複数のアンテナ素子を有するアレーアンテナと、
前記アンテナ素子にて受信された受信信号を増幅する増幅手段と、
前記増幅手段にて増幅された受信信号を２つの系列に分配する分配手段と、
前記分配手段にて分配された一方の系列の受信信号より複数の前記アンテナ素子間の位相または振幅を制御する校正手段と、
を具備することを特徴とする受信装置。
【請求項５】
前記分配手段における分配処理及び前記増幅手段における増幅処理が所定の温度にて行われるように温度調整する温度調整手段を具備することを特徴とする請求項４記載の受信装置。
【請求項６】
請求項４または請求項５記載の受信装置を具備することを特徴とする基地局装置。
【請求項７】
ディジタル信号処理された送信信号を２つの系列に分配するステップと、
分配された一方の系列の送信信号を増幅するステップと、
増幅された送信信号を複数のアンテナ素子を有するアレーアンテナから送信するステップと、
分配された他方の系列の送信信号より前記アンテナ素子間の位相または振幅を制御するステップと、
を具備することを特徴とする送信方法。
【請求項８】
アレーアンテナの複数のアンテナ素子にて受信された受信信号を増幅するステップと、
増幅された受信信号を２つの系列に分配するステップと、
分配された一方の系列の受信信号より複数の前記アンテナ素子間の位相または振幅を制御するステップと、
を具備することを特徴とする受信方法。
【発明の詳細な説明】
【技術分野】
【０００１】
本発明は、送信装置、受信装置、基地局装置、送信方法及び受信方法に関し、特に通信を瞬断することなく無線回路を校正する送信装置、受信装置、基地局装置、送信方法及び受信方法に関する。
【背景技術】
【０００２】
通信用の無線回路の他に校正用回路を設け、基準信号の重畳または通信信号を校正用回路に分岐することにより、通信を瞬断することなく無線回路の校正が可能な通信装置が知られている（例えば、特許文献１）。
【０００３】
図５は、従来の送受信装置の構成を示すブロック図である。図５の送受信装置は、アレイアンテナ１０と、各アンテナ素子数ｎ（ｎは１以上の整数）に対応する多重／分配回路１２−１〜ｎと、無線送受信部１３−１〜ｎと、多重／分配回路１４−１〜ｎと、ユーザ数ｍ（ｍは１以上の整数）に対応するユーザ信号処理部１５−１〜ｍと、多重／分配回路１６と、キャリブレーション信号送受信処理部１７と、キャリブレーション信号処理部１８と、キャリブレーション間隔決定部１９とより構成されている。
【０００４】
アレイアンテナ１０は、構成されたｎ個のアンテナ素子１１−１〜ｎが、各アンテナ素子のＲＦ（無線周波数）送受信信号が相関を有するように近接して配置されている。
【０００５】
多重／分配回路１２−１〜ｎは、受信時には、各アンテナ素子１１−１〜ｎ出力と多重／分配回路１６出力のキャリブレーション信号とを入力し、無線周波数帯における多重化を行い、無線送受信部１３−１〜ｎのそれぞれへ出力する。送信時には、キャリブレーション信号が多重化された無線送受信部１３−１〜ｎ出力を入力して、各アンテナ素子１１−１〜ｎおよび多重／分配回路１６へ分配して出力する。
【０００６】
無線送受信部１３−１〜ｎは、受信時には、多重／分配回路１２−１〜ｎ出力を入力し、低雑音増幅、無線周波数帯から基底周波数帯への周波数変換、直交検波、アナログ／ディジタル変換などを行い、多重／分配回路１４−１〜ｎへ出力する。また、無線送受信部１３−１〜ｎは、送信時には、多重／分配回路１４−１〜ｎ出力を入力し、ディジタル／アナログ変換、直交変調、基底周波数帯から無線周波数帯への周波数変換および周波数変換後の電力増幅などを行い、多重／分配回路１２−１〜ｎへ出力する。
【０００７】
多重／分配回路１４−１〜ｎは、受信時には、無線送受信部１３−１〜ｎ出力を入力し、基底周波数帯において分配を行い、各ユーザ毎のユーザ信号処理部１５−１〜ｍへ出力するとともに、キャリブレーション信号処理部１８へ出力する。送信時には、各ユーザ毎のユーザ信号処理部１５−１〜ｍ出力とキャリブレーション信号処理部１８出力とを入力し、中間周波数において多重化を行い、無線送受信部１３−１〜ｎへ出力する。
【０００８】
ユーザ信号処理部１５−１〜ｍは、受信時には、多重／分配回路１４−１〜ｎ出力を入力し、キャリブレーション信号処理部１８出力の振幅／位相情報を用いて補正を加えながら形成した受信指向性パターンに基づいたユーザ信号を出力する。送信時には、外部から入力されたユーザ信号を振幅／位相情報を用いて補正を加えながら形成した送信指向性パターンに基づいた信号を出力する。
【０００９】
多重／分配回路１６は、受信時には、キャリブレーション信号送受信処理部１７出力を入力し、無線周波数帯での分配を行い、多重／分配回路１２−１〜ｎのそれぞれへ出力する。送信時には、多重／分配回路１２−１〜ｎ出力のそれぞれを入力し、無線周波数帯での多重化を行い、キャリブレーション信号送受信処理部１７へ出力する。
【００１０】
キャリブレーション信号送受信処理部１７は、受信時には、キャリブレーション信号処理部１８出力を入力し、ディジタル／アナログ変換、基底周波数帯から無線周波数帯への周波数変換などを行い、多重／分配回路１６へ出力する。また、キャリブレーション信号送受信処理部１７は、送信時には、多重／分配回路１６出力を入力し、無線周波数帯から基底周波数帯への周波数変換、アナログ／ディジタル変換などを行い、キャリブレーション信号処理部１８へ出力する。
【００１１】
キャリブレーション信号処理部１８は、キャリブレーション間隔決定部１９出力のキャリブレーション間隔情報に基づいて、基底周波数帯でキャリブレーション信号をバースト的に生成し、受信時にはキャリブレーション信号送受信処理部１７へ出力し、送信時には多重／分配回路１４−１〜ｎへ出力する。また、キャリブレーション信号処理部１８は、受信時には多重／分配回路１４−１〜ｎ出力を、送信時にはキャリブレーション信号送受信処理部１７出力を入力し、無線送受信部１３−１〜ｎに対応して抽出したｎ個のキャリブレーション信号とキャリブレーション信号処理部１８から出力された元のキャリブレーション信号との差を検出し、ｎ個の振幅／位相情報を求め、ユーザ信号処理部１５−１〜ｍおよびキャリブレーション間隔決定部１９のそれぞれへ出力する。
【００１２】
キャリブレーション間隔決定部１９は、キャリブレーション信号処理部１８の出力である振幅／位相情報を入力し、キャリブレーション精度が一定の基準を満たす範囲内で、キャリブレーション間隔をできるだけ長くするように決定し、キャリブレーション間隔情報としてキャリブレーション信号処理部１８へ出力する。
【特許文献１】特開２００２−３５３８６５号公報
【発明の開示】
【発明が解決しようとする課題】
【００１３】
しかしながら、従来の装置においては、通過損失の大きい多重／分配回路１２−１〜ｎをアレイアンテナ１０直下に設けるので、多重／分配回路１２−１〜ｎの通過損失により通信用無線特性の劣化を招くという問題がある。即ち、多重／分配回路１２−１〜ｎの通過損失により、高周波パワーアンプの消費電流が増大し、送信波の隣接チャネルの漏洩電力が大きくなるとともに、受信機の雑音指数が大きくなるという問題がある。
【００１４】
例えば、図６に示す送信装置３０は、ディジタル信号処理部３１、変調器３２、アップコンバータ３３、ドライバアンプ３４、パワーアンプ３５、多重／分配回路３６、及びアンテナ３７から構成されており、多重／分配回路３６はアンテナ３７直下の位置に配置されている。送信装置３０の送信電力は、アンテナ端３８において規定されており、例えば、送信電力が＋３０ｄＢｍと規定されており、多重/分配回路３６の通過損失がｘｄＢの場合、パワーアンプ３５は（＋３０ｄＢｍ＋ｘ）ｄＢｍの電力を出力しなければならない。一般に、出力電力が大きいほどパワーアンプの消費電力は大きくなり、出力電力が大きいほど隣接チャネル漏洩電力は大きくなるという問題がある。
【００１５】
また、図７に示す受信装置５０は、アンテナ５１、多重／分配回路５２、ＬＮＡ５３、ダウンコンバータ５４、バッファアンプ５５、復調器５６、及びディジタル信号処理部５７から構成されており、多重／分配回路５２はアンテナ５１直下の位置に配置されている。この時、受信装置５０全体のＮＦは（１）式のように計算される。
【００１６】
ＮＦ＝ＮＦ１＋（ＮＦ２−１）／Ｇ１＋（ＮＦ３−１）／（Ｇ１×Ｇ２）＋（ＮＦ４−１）／（Ｇ１×Ｇ２×Ｇ３）＋（ＮＦ５−１）／（Ｇ１×Ｇ２×Ｇ３×Ｇ４）      （１）
ここで、ＮＦは受信装置５０全体のＮＦ
ＮＦ１は多重／分配回路５２のＮＦ
ＮＦ２はＬＮＡ５３のＮＦ
ＮＦ３はダウンコンバータ５４のＮＦ
ＮＦ４はバッファアンプ５５のＮＦ
ＮＦ５は復調器５６のＮＦ
Ｇ１は多重／分配回路５２のゲイン
Ｇ２はＬＮＡ５３のゲイン
Ｇ３はダウンコンバータ５４のゲイン
Ｇ４はバッファアンプ５５のゲイン
Ｇ５は復調器５６のゲイン
【００１７】
ＮＦが小さいほど受信装置５０の性能が良いので、（１）式より、多重／分配回路５２の通過損失、即ちＮＦ１が大きいほど受信装置５０全体のＮＦが大きくなり、性能が劣化するという問題がある。
【００１８】
さらに、従来の装置においては、キャリブレーションを行う回路のＣ／Ｎを大きくするために多重／分配回路の結合度を大きくすると、多重／分配回路の通過損失が大きくなるという問題がある。
【００１９】
本発明は、かかる点に鑑みてなされたものであり、通過損失の影響を少なくすることにより、通信用無線特性の劣化を防ぐことができるとともに、通過損失を大きくせずに校正回路のＣ／Ｎを大きくすることができるので、アンテナ到来方向の推定値を安定させることができる送信装置、受信装置、基地局装置、送信方法及び受信方法を提供することを目的とする。
【課題を解決するための手段】
【００２０】
本発明の送信装置は、ディジタル信号処理された送信信号を２つの系列に分配する分配手段と、前記分配手段にて分配された一方の系列の送信信号を増幅する増幅手段と、前記増幅手段にて増幅された送信信号を送信する複数のアンテナ素子を有するアレイアンテナと、前記分配手段にて分配された他方の系列の送信信号より前記アンテナ素子間の位相または振幅を制御する校正手段と、を具備する構成を採る。
【００２１】
本発明の受信装置は、複数のアンテナ素子を有するアレイアンテナと、前記アンテナ素子にて受信された受信信号を増幅する増幅手段と、前記増幅手段にて増幅された受信信号を２つの系列に分配する分配手段と、前記分配手段にて分配された一方の系列の受信信号より複数の前記アンテナ素子間の位相または振幅を制御する校正手段と、を具備する構成を採る。
【００２２】
本発明の送信方法は、ディジタル信号処理された送信信号を２つの系列に分配するステップと、分配された一方の系列の送信信号を増幅するステップと、増幅された送信信号を複数のアンテナ素子を有するアレイアンテナから送信するステップと、分配された他方の系列の送信信号より前記アンテナ素子間の位相または振幅を制御するステップと、を具備するようにした。
【００２３】
本発明の受信方法は、アレイアンテナの複数のアンテナ素子にて受信された受信信号を増幅するステップと、増幅された受信信号を２つの系列に分配するステップと、分配された一方の系列の受信信号より複数の前記アンテナ素子間の位相または振幅を制御するステップと、を具備するようにした。
【発明の効果】
【００２４】
本発明によれば、通過損失の影響を少なくすることにより、通信用無線特性の劣化を防ぐことができるとともに、通過損失を大きくせずに校正回路のＣ／Ｎを大きくすることができるので、アンテナ到来方向の推定値を安定させることができる。
【発明を実施するための最良の形態】
【００２５】
以下、本発明の実施の形態について、図面を参照して詳細に説明する。
【００２６】
（実施の形態１）
図１は、本発明の実施の形態１に係る送信装置１００の構成を示すブロック図である。
【００２７】
ディジタル信号処理部１０１は、送信信号に対してディジタル変調、拡散、コード多重及び同期処理等を行う。また、ディジタル信号処理部１０１は、後述する校正用無線回路１０７の指示により、アンテナ素子１０５−１〜１０５−ｎの送信時の振幅または位相を補正する。
【００２８】
送信回路１０２−１〜１０２−ｎは、ディジタル信号処理部１０１から入力した送信信号に対して、直交変調及びディジタル／アナログ（以下「Ｄ／Ａ」と記載する）変換をして多重／分配回路１０３−１〜１０３−ｎへ出力する。送信回路１０２−１〜１０２−ｎにおいては、例えばダイレクト変調方式を用いる。
【００２９】
多重／分配回路１０３−１〜１０３−ｎは、送信回路１０２−１〜１０２−ｎから入力した送信信号を複数の経路に分配する。そして、多重／分配回路１０３−１〜１０３−ｎは、分配した送信信号を増幅部１０４−１〜１０４−ｎ及び多重／分配回路１０６へ出力する。
【００３０】
増幅部１０４−１〜１０４−ｎは、多重／分配回路１０３−１〜１０３−ｎから入力した分配された送信信号の一部を増幅してアンテナ素子１０５−１〜１０５−ｎへ出力する。
【００３１】
アンテナ素子１０５−１〜１０５−ｎは、増幅部１０４−１〜１０４−ｎから入力した送信信号を指向性送信する。複数のアンテナ素子１０５−１〜１０５−ｎは、アレイアンテナを構成している。
【００３２】
多重／分配回路１０６は、各多重／分配回路１０３−１〜１０３−ｎから入力した受信信号を合成して校正用無線回路１０７へ出力する。
【００３３】
校正用無線回路１０７は、アダプティブアレイアンテナシステムを実現するにあたり、多重／分配回路１０６から入力した送信信号より、各アンテナ素子１０５−１〜１０５−ｎに入力する入力信号間の位相差または振幅差を求めて、複数のアンテナ素子１０５−１〜１０５−ｎの振幅・位相制御を行うようにディジタル信号処理部１０１へ指示することにより校正を行う。校正用無線回路１０７は、多重／分配回路１０３−１〜１０３−ｎよりもアンテナ素子１０５−１〜１０５−ｎ側の回路を校正することはできない。しかし、送信装置１００の設置時等の運用前に多重／分配回路１０３−１〜１０３−ｎよりもアンテナ素子１０５−１〜１０５−ｎ側の回路の校正を行うことにより、校正の精度の劣化を防ぐことができ、送信装置１００全体についての適切な校正を行うことができる。
【００３４】
このように、本実施の形態１によれば、通過損失の大きい多重／分配回路１０３−１〜１０３−ｎをアンテナ素子１０５−１〜１０５−ｎ直下に設けないので、通過損失の影響を少なくすることができ、通信用無線特性の劣化を防ぐことができるとともに、通過損失を大きくせずに校正回路のＣ／Ｎを大きくすることができるので、アンテナ到来方向の推定値を安定させることができ、無線部のシステム設計を容易にすることができる。また、本実施の形態１によれば、通過損失の影響を少なくすることができるので、出力電力を小さくすることができて増幅部１０４−１〜１０４−ｎの消費電力を低減することができるとともに、出力電力を小さくすることができるので、隣接チャネル漏洩電力を低減することができる。
【００３５】
なお、本実施の形態１において、送信回路１０２−１〜１０２−ｎと増幅部１０４−１〜１０４−ｎとの間に多重／分配回路１０３−１〜１０３−ｎを設けたが、これに限らず、多重／分配回路１０３−１〜１０３−ｎは増幅部１０４−１〜１０４−ｎよりもディジタル信号処理部１０１側であればどこに設けても良い。
【００３６】
（実施の形態２）
図２は、本発明の実施の形態２に係る送信装置２００の構成を示すブロック図である。
【００３７】
本実施の形態２に係る送信装置２００は、図１に示す実施の形態１に係る送信装置１００において、図２に示すように、温度調整部２０１を追加する。なお、図２においては、図１と同一構成である部分には同一の符号を付してその説明は省略する。
【００３８】
温度調整部２０１は、多重／分配回路１０３−１〜１０３−ｎ及び増幅部１０４−１〜１０４−ｎを所定の温度に保つための温度調整を行う。例えば、多重／分配回路１０３−１〜１０３−ｎ及び増幅部１０４−１〜１０４−ｎを囲む所定のスペース内にエアコンを設置し、温度調整部２０１は、設置したエアコンの温度を調整する。
【００３９】
このように、本実施の形態２によれば、上記実施の形態１の効果に加えて、通信中に校正できない多重／分配回路１０３−１〜１０３−ｎ、増幅部１０４−１〜１０４−ｎ及び多重／分配回路１０６の温度を所定の温度に保つことができるので、通信中に校正できない回路の振幅変動及び位相変動が小さい回路構成にすることができる。
【００４０】
なお、本実施の形態２において、通信中に校正できない回路を所定の温度に保つこととしたが、これに限らず、温度変動による特性変化が激しいスイッチデバイスを用いない等により、温度変動による特性変化が少ない回路構成にしても良い。なお、本実施の形態２において、送信回路１０２−１〜１０２−ｎと増幅部１０４−１〜１０４−ｎとの間に多重／分配回路１０３−１〜１０３−ｎを設けたが、これに限らず、多重／分配回路１０３−１〜１０３−ｎは増幅部１０４−１〜１０４−ｎよりもディジタル信号処理部１０１側で、かつ温度調整できる状態であればどこに設けても良い。
【００４１】
（実施の形態３）
図３は、本発明の実施の形態３に係る受信装置３００の構成を示すブロック図である。
【００４２】
アンテナ素子３０１−１〜３０１−ｎは、受信した受信信号を増幅部３０２−１〜３０２−ｎへ出力する。複数のアンテナ素子３０１−１〜３０１−ｎは、アレイアンテナを構成している。
【００４３】
増幅部３０２−１〜３０２−ｎは、例えばＬＮＡ（Low Noise Amp）であり、アンテナ素子３０１−１〜３０１−ｎから入力した受信信号を増幅して多重／分配回路３０３−１〜３０３−ｎへ出力する。
【００４４】
多重／分配回路３０３−１〜３０３−ｎは、増幅部３０２−１〜３０２−ｎから入力した受信信号を複数の経路に分配する。そして、多重／分配回路３０３−１〜３０３−ｎは、分配した受信信号を受信回路３０４−１〜３０４−ｎ及び多重／分配回路３０５へ出力する。
【００４５】
受信回路３０４−１〜３０４−ｎは、多重／分配回路３０３−１〜３０３−ｎから入力した受信信号に対して、直交復調及びアナログ／ディジタル（以下「Ａ／Ｄ」と記載する）変換をしてディジタル信号処理部３０７へ出力する。受信回路３０４−１〜３０４−ｎにおいては、例えばダイレクト復調(コンバージョン)方式を用いる。
【００４６】
多重／分配回路３０５は、各多重／分配回路３０３−１〜３０３−ｎから入力した受信信号を合成して校正用無線回路３０６へ出力する。
【００４７】
校正用無線回路３０６は、アダプティブアレイアンテナシステムを実現するにあたり、多重／分配回路３０５から入力した受信信号より各アンテナ素子３０１−１〜３０１−ｎに入力する入力信号間の位相差または振幅差を求めて、複数のアンテナ素子３０１−１〜３０１−ｎの振幅・位相制御を行うようにディジタル信号処理部３０７へ指示することにより校正を行う。
【００４８】
ディジタル信号処理部３０７は、受信回路３０４−１〜３０４−ｎから入力した受信信号に対して、ディジタル復調、逆拡散及び同期処理等を行う。また、ディジタル信号処理部３０７は、校正用無線回路３０６の指示により、アンテナ素子３０１−１〜３０１−ｎの受信時の振幅または位相を補正する。
【００４９】
このように、本実施の形態３によれば、通過損失の大きい多重／分配回路３０３−１〜３０３−ｎをアンテナ素子３０１−１〜３０１−ｎ直下に設けないので、通過損失の影響を少なくすることができ、通信用無線特性の劣化を防ぐことができるとともに、通過損失を大きくせずに校正回路のＣ／Ｎを大きくすることができるので、アンテナ到来方向の推定値を安定させることができ、無線部のシステム設計を容易にすることができる。
【００５０】
なお、本実施の形態３において、受信３０４−１〜３０４−ｎと増幅部３０２−１〜３０２−ｎとの間に多重／分配回路３０３−１〜３０３−ｎを設けたが、これに限らず、多重／分配回路３０３−１〜３０３−ｎは増幅部３０２−１〜３０２−ｎよりもディジタル信号処理部１０１側であればどこに設けても良い。また、本実施の形態３において、受信信号処理のみを行うこととしたが、これに限らず、上記実施の形態１または実施の形態２の送信装置に適用することにより、送信信号と受信信号の両方の処理を行うことができるようにしても良い。
【００５１】
（実施の形態４）
図４は、本発明の実施の形態４に係る受信装置４００の構成を示すブロック図である。
【００５２】
本実施の形態４に係る受信装置４００は、図３に示す実施の形態３に係る受信装置３００において、図４に示すように、温度調整部４０１を追加する。なお、図４においては、図３と同一構成である部分には同一の符号を付してその説明は省略する。
【００５３】
温度調整部４０１は、増幅部３０２−１〜３０２−ｎ及び多重／分配回路３０３−１〜３０３−ｎを所定の温度に保つための温度調整を行う。例えば、増幅部３０２−１〜３０２−ｎ、多重／分配回路３０３−１〜３０３−ｎ及び多重／分配回路３０５を囲む所定のスペース内にエアコンを設置し、温度調整部４０１は、設置したエアコンの温度を調整する。
【００５４】
このように、本実施の形態４によれば、上記実施の形態３の効果に加えて、通信中に校正できない増幅部３０２−１〜３０２−ｎ、多重／分配回路３０３−１〜３０３−ｎ及び多重／分配回路３０５の温度を所定の温度に保つことができるので、通信中に校正できない回路の振幅変動及び位相変動が小さい回路構成にすることができる。
【００５５】
なお、本実施の形態４において、通信中に校正できない回路を所定の温度に保つこととしたが、これに限らず、温度変動による特性変化が激しいスイッチデバイスを用いない等により、温度変動による特性変化が少ない回路構成にしても良い。なお、本実施の形態４において、受信３０４−１〜３０４−ｎと増幅部３０２−１〜３０２−ｎとの間に多重／分配回路３０３−１〜３０３−ｎを設けたが、これに限らず、多重／分配回路３０３−１〜３０３−ｎは増幅部３０２−１〜３０２−ｎよりもディジタル信号処理部１０１側で、かつ温度調整できる状態であればどこに設けても良い。また、本実施の形態４において、受信信号処理のみを行うこととしたが、これに限らず、上記実施の形態１または実施の形態２の送信装置に適用することにより、送信信号と受信信号の両方の処理を行うことができるようにしても良い。
【産業上の利用可能性】
【００５６】
本発明にかかる送信装置、受信装置、基地局装置、送信方法及び受信方法は、通過損失の影響を少なくすることにより、通信用無線特性の劣化を防ぐことができるとともに、通過損失を大きくせずに校正回路のＣ／Ｎを大きくすることができるので、アンテナ到来方向の推定値を安定させる効果を有し、アレイアンテナを制御するのに有用である。
【図面の簡単な説明】
【００５７】
【図１】本発明の実施の形態１に係る送信装置の構成を示すブロック図
【図２】本発明の実施の形態２に係る送信装置の構成を示すブロック図
【図３】本発明の実施の形態３に係る受信装置の構成を示すブロック図
【図４】本発明の実施の形態４に係る受信装置の構成を示すブロック図
【図５】従来の送受信装置の構成を示すブロック図
【図６】送信装置の構成を示す図
【図７】受信装置の構成を示す図
【符号の説明】
【００５８】
１００  送信装置
１０１、３０７  ディジタル信号処理部
１０２−１〜１０２−ｎ  送信回路
１０３−１〜１０３−ｎ、１０６、３０３−１〜３０３−ｎ、３０５  多重／分配回路
１０４−１〜１０４−ｎ、３０２−１〜３０２−ｎ  増幅部
１０５−１〜１０５−ｎ、３０１−１〜３０１−ｎ  アンテナ素子
１０７、３０６  校正用無線回路
２０１、４０１  温度調整部
３００  受信装置
３０４−１〜３０４−ｎ  受信回路
【図１】
2006108731.tif 000003
【図２】
2006108731.tif 000004
【図３】
2006108731.tif 000005
【図４】
2006108731.tif 000006
【図５】
2006108731.tif 000007
【図６】
2006108731.tif 000008
【図７】
2006108731.tif 000009